(57)【要約】【課題】  床材が揺れることを防止することができると共に、衝撃吸収機能が不十分となることを防止することができる二重床支持構造を提供する。【解決手段】  コンクリートベース１０上に配置した台座１１と、台座１１の上部に下端部が連結され上下長さが伸縮自在な支持脚２０，２２，２４と、支持脚２０，２２，２４の上端部に設けられ床材２８を支持する支持板２６とを備え、台座１１を上部材１１ａ、下部材１１ｂに２分割すると共に、上下部材１１ａ、１１ｂ間に衝撃吸収手段１４を設けたことを特徴とする。【効果】  床材が揺れることを防止することができると共に、衝撃吸収機能が不十分となることを防止することができる。【選択図】      図１
2005207140.tif 000002
【特許請求の範囲】
【請求項１】
コンクリートベース上に配置した台座と、
前記台座の上部に下端部が連結され上下長さが伸縮自在な支持脚と、
前記支持脚の上端部に設けられ床材を支持する支持板とを備え、
前記台座を上部材と下部材に２分割すると共に、
前記上部材と下部材との間に衝撃吸収手段を設けた
ことを特徴とする二重床支持構造。
【請求項２】
前記衝撃吸収手段として、反発係数が著しく低い弾性材を用いるようにした請求項１に記載の二重床支持構造。
【請求項３】
前記衝撃吸収手段として、前記上部材と下部材の互の接触部を衝撃吸収可能な形状に形成した請求項１に記載の二重床支持構造。
【請求項４】
コンクリートベース上に配置した台座と、
前記台座の上部に下端部が連結され上下長さが伸縮自在な支持脚と、
前記支持脚の上端部に設けられ床材を支持する支持板とを備え、
前記支持脚と前記台座との間に衝撃吸収手段を設けたことを特徴とする二重床支持構造。
【発明の詳細な説明】
【技術分野】
【０００１】
本発明は、建物の部屋のコンクリートベース上に支持脚を介して床材を支持するようにした二重床支持構造に関するものである。
【背景技術】
【０００２】
近年、マンション等の集合住宅においては、世の中の高齢人口の増加等に合わせて、各部屋間や人の通る所に段差ができないように（バリアフリー）、各部屋の床の高さを容易に調整することができると共に、床下の空間に水道管等の各種配管やダクトを通すことが可能な二重床支持構造が採用されている。このような従来の二重床支持構造としては、例えば特許文献１〜５に記載されたものがある。
【０００３】
【特許文献１】特開平５−３２１４４３号公報
【特許文献２】特開平６−３２２９５３号公報
【特許文献３】特開平９−１３６３４号公報
【特許文献４】特開２００２−１７４０２１号公報
【特許文献５】特開２００３−２５３８７３号公報
【発明の開示】
【発明が解決しようとする課題】
【０００４】
しかしながら、このような従来の二重床支持構造は、衝撃吸収機能を左右する弾性体にゴムや弾性プラスチックを用いているので、二重床支持構造全体の反発係数が高くなってしまう。このため、弾性体が軟かすぎるとその弾性反発力で、支持される床材が揺れてしまったり、硬すぎると床材からの衝撃吸収機能が不十分となるといった、互に相反する問題があった。
【０００５】
そこで本発明は、上記問題点に鑑みて、支持される床材が揺れることを防止することができると共に、床材からの衝撃吸収機能が不十分となることを防止することができる二重床支持構造を提供することを課題とするものである。
【課題を解決するための手段】
【０００６】
上記課題を解決するために、本発明による二重床支持構造は、
コンクリートベース上に配置した台座と、
前記台座の上部に下端部が連結され上下長さが伸縮自在な支持脚と、
前記支持脚の上端部に設けられ床材を支持する支持板とを備え、
前記台座を上部材と下部材に２分割すると共に、
前記上部材と下部材との間に衝撃吸収手段を設けたことを特徴とするものである。
【発明の効果】
【０００７】
このような二重床支持構造によれば、台座を上部材と下部材に２分割すると共に、この上部材と下部材の間に衝撃吸収手段を設けたことにより、支持される床材が揺れることを防止することができると共に、床材からの衝撃吸収機能が不十分となることを防止することができる。
【発明を実施するための最良の形態】
【０００８】
以下、本発明の実施の形態について、図面に基づいて具体的に説明する。
図１〜９は、本発明による二重床支持構造の第１の実施の形態を説明するために参照する図である。
【０００９】
本実施の形態に係る二重床支持構造を示す図１において、コンクリートベース１０の上に載置された台座１１は、上部材１１ａと下部材１１ｂとに２分割されている（図６参照）。これらの上下部材１１ａ、１１ｂは、硬質ゴムとか弾性プラスチック等により形成されている。
【００１０】
図６に示すように、上部材１１ａの下側中央部には半球状の凹部１２が形成され、下側周部には係合凸部１３が円周方向に沿って形成されている。また、図６、９に示すように、下部材１１ｂの上側にはドーナツ状の凹部１７が形成され、下部材１１ｂの上側周部には係合凸部１８が円周方向に沿って形成されている。
【００１１】
図１において、台座１１の上部材１１ａと下部材１１ｂとの間には、衝撃吸収板部材１４（衝撃吸収手段）が挟まれて設けられている（図６参照）。この衝撃吸収板部材１４は、硬質ゴムや弾性プラスチック等に比べて反発係数が著しく低く、衝撃に対して弾性反発力が発生しにくく、体積全体に衝撃エネルギーを分散させることができるような弾性材により形成されている。
【００１２】
このような衝撃吸収板部材１４としては、例えば、（株）テックジャムのソルボセイン（Ｓｏｒｂｏｔｈａｎｅ）（商品名）や、（株）ジェルテックのアルファゲル（αＧＥＬ）（商品名）等を用いることができるが、一般的な低反発ウレタンを用いることもできる。
【００１３】
台座１１の上部材１１ａの上部には、図６に示すような、奥の方の径が入り口側の径よりも大きくなるような段部を有する係合穴１６が形成され、この係合穴１６の径が小さい方の入り口側には、図７に示すように、係合穴１６の中心から放射状に伸びる４本の溝１６ａが形成されている。
【００１４】
図１に示すように、台座１１の上部材１１ａの係合穴１６には、図５に示すような、オスネジ２０ｃが形成されたレベル調整用ボルト２０下端部の円板状頭部２０ａが嵌入する。レベル調整用ボルト２０の図５中上端部には、このレベル調整用ボルト２０を回転させるときにドライバー等の工具先端が係合する、マイナス記号状の溝２０ｂが形成されている。
【００１５】
図１に示すように、調整用ボルト２０のほぼ上半部には、図４に示すような、軸孔周部にメスネジ２２ａが形成されたレベル調整用ナット２２がネジ結合している。レベル調整用ナット２２の外周長さ途中には、刀の鍔状の鍔部２２ｂが形成されている。
【００１６】
図１に示すように、レベル調整用ナット２２の鍔部２２ｂより上側は、スリーブ２４の軸孔２４ｂ（図３参照）に嵌合しており、このときレベル調整用ナット２２の鍔部２２ｂには、スリーブ２４の下端部に形成されたフランジ２４ａ（図３参照）が接触するようになっている。上記レベル調整用ボルト２０、レベル調整用ナット２２及びスリーブ２４は、全体として、上下長さが伸縮自在な支持脚を構成している。
【００１７】
図１に示すように、スリーブ２４は、レベル調整台２６（支持板）の軸孔２６ａ（図２参照）に嵌合しており、このレベル調整台２６の上には部屋の床板２８（床材）が載置されて、上述してきたような実施の形態に係る二重床支持構造により床板２８が支持されている。
【００１８】
このような本実施の形態に係る二重床支持構造においては、台座１１の上部材１１ａが硬質ゴム等により形成されており、係合穴１６には４本の溝１６ａが形成されているので、上部材１１ａの係合穴１６の入り口側の互いに隣合う溝１６ａ間の肉厚部を弾性変形させることにより、レベル調整用ボルト２０の円板状頭部２０ａを容易に係合穴１６の奥の方に嵌入させることができる。
【００１９】
また、台座１１の上部材１１ａと下部材１１ｂとの間に衝撃吸収板部材１４を挟むときは、まず衝撃吸収板部材１４を下部材１１ｂの凹部１７底面上に配置し、それから係合凸部１３と係合凸部１８を互いに弾性変形させることにより、係合凸部１３を凹部１７内に入れて係合させることにより行なうことができる。
【００２０】
このような本実施の形態に係る二重床支持構造によれば、上下２分割された台座１１の上部材１１ａと下部材１１ｂとの間に衝撃吸収板部材１４を設けたことにより、二重床支持構造全体の反発係数を低減できるので、支持される床板２８が弾性反発力により揺れることを防止することができると共に、床板２８からの衝撃吸収機能が不十分となることを防止することができる。
【００２１】
また、床板２８に対する衝撃の強さや、床板２８からの重さに対しては、衝撃吸収板部材１４を柔らかくしたり、硬くしたり、或はその厚さを厚くしたり、薄くしたりすることにより、床板２８の上の部屋の種類、用途等に合わせて、用いられる衝撃吸収板部材１４の形状や性質を選択することができる。
【００２２】
また、台座１１の上部材１１ａと下部材１１ｂとの間に衝撃吸収板部材１４を設けることにより、床板２８の上や厚さ中間一面に、大きな面積の衝撃吸収材を敷設する必要がなくなるので、建築コストを著しく低減させることができる。
【００２３】
図１０〜１２は、本発明の第２の実施の形態について説明するために参照する図である。この第２の実施の形態においても、前記第１の実施の形態と同様に、台座３１が上部材３１ａと下部材３１ｂとに２分割されている。
【００２４】
そして、前記第１の実施の形態においては上部材１１ａと下部材１１ｂとの間に衝撃吸収板部材１４を挟む構造となっていたのに対し、この第２の実施の形態においては、上部材３１ａと下部材３１ｂの互の対向面に、多数の半球状の突起３５（衝撃吸収手段）を、図１２に示すように縦横２方向に並べて形成した点において異なるものである。
【００２５】
突起３５は、台座３１の上部材３１ａ及び下部材３１ｂと同じ材質でそれぞれに一体的に形成してもよいし、上部材３１ａ及び下部材３１ｂと異なる材質でインジエクション成形方法を用いた製造方法により一体的に形成してもよい。
【００２６】
図１０に示すように、上部材３１ａの下側中央部には孔３６が形成されており、この孔３６より奥の方には孔３６の径より大きな径の半球状凹部３７が形成されている。下部材３１ｂの上側中央部には、先端に弾性支持部材３３が設けられる柱状部３４が設けられ、下部材３１ｂの周部には、多数の突起３５を囲むような環状凸部４０が形成されている。
【００２７】
図１１は、台座３１の上部材３１ａと下部材３１ｂが互に連結された状態を示す図であり、弾性支持部材３３が弾性変形を伴って半球状凹部３７内に嵌入し、半球状凹部３７内に空気室を設けた状態で、弾性支持部材３３及び柱状部３４が上部材３１ａを支持する構造を採用すると共に、上部材３１ａと下部材３１ｂの各突起３５同士が接触して衝撃吸収効果を図りながら、二重床支持構造は床板（図を省略）を支持するようになっている。
【００２８】
このような本発明の第２の実施の形態に係る二重床支持構造によれば、上下２分割された台座３１の上部材３１ａと下部材３１ｂの両方に突起３５を設けたことにより、この突起３５が弾性変形することによって床板２８からの衝撃を吸収することができる。
なお、図１１のような本発明の第２の実施の形態に加えて、上下の突起３５間に、前記第１の実施の形態で用いたような衝撃吸収板部材１４を設置しても良い。
【００２９】
図１３は、図１２に示す突起３５の代りに、格子状にかつ互い違いに並んだ多数の凸部３７（斜線部）が、上部材３１ａと下部材３１ｂの双方に互いに対向するよう形成され、これらの凸部３７同士が接触して床板２８に衝撃を受けたときに弾性変形するようにした、他の実施例を示すものである。同図において、斜線以外の部分は凸部３７に対して相対的に凹んでいる凹部を示している。
【００３０】
図１４は、図１３のように格子状に並んだ多数の凸部３７の代りに、放射状にかつ互い違いに並んだ多数の凸部３８（斜線部）が、上部材３１ａと下部材３１ｂの双方に互いに対向するよう形成され、これらの凸部３８同士が接触して床板２８に衝撃を受けたときに弾性変形するようにした、他の実施例を示すものである。
【００３１】
図１５は、上記突起３５や凸部３７、３８の代わりに、同心円状に並んだ径の異なる複数の環状凸部３９（斜線部）が、上部材３１ａと下部材３１ｂの双方に互いに対向するよう形成され、これらの環状凸部３９同士が接触して床板２８に衝撃を受けたときに弾性変形するようにした、他の実施例を示すものである。
【００３２】
これらの図１３〜１５に示された、凸部３７〜３９が台座３１の上部材３１ａと下部材３１ｂに互いに対向して形成された他の実施例によっても、前記第２の実施の形態と同様の効果を得ることができる。
【００３３】
図１６は、本発明の第３の実施の形態に係る二重床支持構造について説明するために参照する図である。前記実施の形態においては、台座１１，３１が上下に２分割されていたのに対し、この第３の実施の形態は、台座４１は上下２分割されておらず、一体的に形成されていると共に、レベル調整用ボルト２０の円板状頭部２０ａと台座４１との間に、前記衝撃吸収板部材１４と同じ材質の衝撃吸収板部材４２（衝撃吸収手段）が挟まれて設けられている点において異なるものである。
【００３４】
このような第３の実施の形態によっても、前記第１の実施の形態と同様の効果を得ることができる。また、このような第３の実施の形態においては、レベル調整用ボルト２０の円板状頭部２０ａと衝撃吸収板部材４２との間に、剛体の、表面が滑らかな板を挟んでもよく、このことによりレベル調整用ボルト２０の円板状頭部２０ａを回転し易くして、床板２８を支持するレベル調整台２６の高さを調整し易くすることができる。
【００３５】
なお、前記第１、第３の実施の形態においては、衝撃吸収板部材１４、４２に単なる平板状のものを用いたが、そのような平板状の衝撃吸収板部材の代わりに、図１７に示す他の実施例のように、表裏両面に多数の凸部４４ａ、４４ｂが設けられた衝撃吸収部材４４を用いてもよく、或は、図１８に示す他の実施例のように、片面側のみに多数の凸部５４ａが設けられた衝撃吸収部材５４を用いてもよい。
【図面の簡単な説明】
【００３６】
【図１】本発明の第１の実施の形態に係る二重床支持構造を示す断面図である。
【図２】図１におけるレベル調整台２６を示す断面図である。
【図３】図１におけるスリーブ２４を示す断面図である。
【図４】図１におけるレベル調整用ナット２２を示す側面図である。
【図５】図１におけるレベル調整用ボルト２０を示す一部破断側面図である。
【図６】図１における台座１１の上部材１１ａと下部材１１ｂ及び衝撃吸収板部材１４を示す分解断面図である。
【図７】図６における台座１１の上部材１１ａの上面図である。
【図８】図６における衝撃吸収板部材１４を示す図であり、図８（ａ）はその平面図、図８（ｂ）はその断面図である。
【図９】図６における台座１１の下部材１１ｂの上面図である。
【図１０】本発明の第２の実施の形態に係る二重床支持構造の台座３１の上部材３１ａと下部材３１ｂ及び遮音シート３３を示す分解断面図である。
【図１１】本発明の第２の実施の形態に係る二重床支持構造の台座３１の組み立て状態の断面図である。
【図１２】図１０における台座３１の上部材３１ａの下面図である。
【図１３】他の実施例に係る台座３１の上部材３１ａの下面図である。
【図１４】他の実施例に係る台座３１の上部材３１ａの下面図である。
【図１５】他の実施例に係る台座３１の上部材３１ａの下面図である。
【図１６】本発明の第３の実施の形態に係る二重床支持構造を示す断面図である。
【図１７】他の実施例に係る衝撃吸収部材４４を示す側面図である。
【図１８】他の実施例に係る衝撃吸収部材５４を示す側面図である。
【符号の説明】
【００３７】
１０  コンクリートベース
１１  台座
１１ａ  上部材
１１ｂ  下部材
１２  凹部
１３  係合凸部
１４  衝撃吸収板部材
１６  係合穴
１６ａ  溝
１７  凹部
１８  係合凸部
２０  レベル調整用ボルト
２０ａ  円板状頭部
２０ｂ  溝
２０ｃ  オスネジ
２２  レベル調整用ナット
２２ａ  メスネジ
２２ｂ  鍔部
２４  スリーブ
２４ａ  フランジ
２４ｂ  軸孔
２６  レベル調整台
２６ａ  軸孔
２８  床板
３１  台座
３１ａ  上部材
３１ｂ  下部材
３３  弾性支持部材
３４  柱状部
３５  突起
３６  孔
３７  凹部
３７，３８  凸部
３９，４０  環状凸部
４１  台座
４２  衝撃吸収板部材
４４  衝撃吸収部材
４４ａ、４４ｂ  凸部
５４  衝撃吸収部材
５４ａ  凸部
【図１】
2005207140.tif 000003
【図２】
2005207140.tif 000004
【図３】
2005207140.tif 000005
【図４】
2005207140.tif 000006
【図５】
2005207140.tif 000007
【図６】
2005207140.tif 000008
【図７】
2005207140.tif 000009
【図８】
2005207140.tif 000010
【図９】
2005207140.tif 000011
【図１０】
2005207140.tif 000012
【図１１】
2005207140.tif 000013
【図１２】
2005207140.tif 000014
【図１３】
2005207140.tif 000015
【図１４】
2005207140.tif 000016
【図１５】
2005207140.tif 000017
【図１６】
2005207140.tif 000018
【図１７】
2005207140.tif 000019
【図１８】
2005207140.tif 000020